【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
デジタル放送波を受信し、当該デジタル放送波に含まれる映像データ及び音声データ並びに文字情報を取得して、映像表示及び音声出力を行う放送受信装置であって、
受信したデジタル放送波から映像データ及び音声データ並びに文字情報を取得する取得手段と、
前記取得手段で取得した映像データに生じているエラーを訂正するとともに、訂正できなかった映像エラーの数を所定の周期で集計する映像エラー検出手段と、
前記取得手段で取得した音声データに生じているエラーを訂正するとともに、訂正出来なかった音声エラーの数を所定の周期で集計する音声エラー検出手段と、
前記取得手段で取得した文字情報に生じているエラーを訂正するとともに、訂正できなかった文字情報エラーの数を所定の周期で集計する文字情報エラー検出手段と、
前記音声エラー検出手段で集計された音声エラーの数を第１の閾値と比較するとともに、前記文字情報エラー検出手段で集計された文字情報エラーの数を第２の閾値と比較し、前記音声エラーの数が前記第１の閾値よりも多く、前記文字情報エラーの数が前記第２の閾値より少ない場合は、前記文字情報エラー検出手段によってエラー訂正された文字情報を前記映像データに重畳する制御を実行する制御手段と、
を有することを特徴とする放送受信装置。
【請求項２】
前記制御手段は、前記音声エラーの数が前記第１の閾値よりも多い場合、前記音声データに基づく音声出力を停止する制御を実行することを特徴とする請求項１に記載の放送受信装置。
【請求項３】
デジタル放送波を受信し、当該デジタル放送波に含まれる映像データ及び音声データ並びに文字情報を取得して、映像表示及び音声出力を行う放送受信装置の制御方法であって、
受信したデジタル放送波から映像データ及び音声データ並びに文字情報を取得する取得工程と、
前記取得工程で取得した映像データに生じているエラーを訂正するとともに、訂正できなかった映像エラーの数を所定の周期で集計する映像エラー検出工程と、
前記取得工程で取得した音声データに生じているエラーを訂正するとともに、訂正出来なかった音声エラーの数を所定の周期で集計する音声エラー検出工程と、
前記取得工程で取得した文字情報に生じているエラーを訂正するとともに、訂正できなかった文字情報エラーの数を所定の周期で集計する文字情報エラー検出工程と、
前記音声エラー検出工程で集計された音声エラーの数を第１の閾値と比較するとともに、前記文字情報エラー検出工程で集計された文字情報エラーの数を第２の閾値と比較し、前記音声エラーの数が前記第１の閾値よりも多く、前記文字情報エラーの数が前記第２の閾値より少ない場合は、前記文字情報エラー検出工程によってエラー訂正された文字情報を前記映像データに重畳する制御を実行する制御工程と、
を有することを特徴とする放送受信装置の制御方法。
【請求項４】
前記制御工程では、前記音声エラーの数が前記第１の閾値よりも多い場合、前記音声データに基づく音声出力を停止する制御を実行することを特徴とする請求項３に記載の放送受信装置の制御方法。
【手続補正２】
【補正対象書類名】明細書
【補正対象項目名】発明の名称
【補正方法】変更
【補正の内容】
【発明の名称】放送受信装置及び放送受信装置の制御方法
【手続補正３】
【補正対象書類名】明細書
【補正対象項目名】０００１
【補正方法】変更
【補正の内容】
【０００１】
本発明は、放送受信装置及び放送受信装置の制御方法に関し、特に、デジタル放送波を受信し、当該デジタル放送波に含まれる映像データ及び音声データ並びに文字情報を取得して、映像表示及び音声出力を行う放送受信装置及び放送受信装置の制御方法に関する。
【手続補正４】
【補正対象書類名】明細書
【補正対象項目名】０００４
【補正方法】変更
【補正の内容】
【０００４】
本発明はこのような問題点に鑑みてなされたものであって、電波の受信状態が悪くなったときに番組内容が分からなくなってしまうことを改善した放送受信装置及び放送受信装置の制御方法を提供することを目的とする。
【手続補正５】
【補正対象書類名】明細書
【補正対象項目名】０００５
【補正方法】変更
【補正の内容】
【０００５】
また、本発明は、電波の受信状態が悪くなったときにノイズが増えて、耳障りな音声や見づらい画面になることを防止した放送受信装置及び放送受信装置の制御方法を提供することを他の目的とする。
【手続補正６】
【補正対象書類名】明細書
【補正対象項目名】０００６
【補正方法】変更
【補正の内容】
【０００６】
上記目的を達成するために、請求項１記載の発明によれば、デジタル放送波を受信し、当該デジタル放送波に含まれる映像データ及び音声データ並びに文字情報を取得して、映像表示及び音声出力を行う放送受信装置であって、受信したデジタル放送波から映像データ及び音声データ並びに文字情報を取得する取得手段と、前記取得手段で取得した映像データに生じているエラーを訂正するとともに、訂正できなかった映像エラーの数を所定の周期で集計する映像エラー検出手段と、前記取得手段で取得した音声データに生じているエラーを訂正するとともに、訂正出来なかった音声エラーの数を所定の周期で集計する音声エラー検出手段と、前記取得手段で取得した文字情報に生じているエラーを訂正するとともに、訂正できなかった文字情報エラーの数を所定の周期で集計する文字情報エラー検出手段と、前記音声エラー検出手段で集計された音声エラーの数を第１の閾値と比較するとともに、前記文字情報エラー検出手段で集計された文字情報エラーの数を第２の閾値と比較し、前記音声エラーの数が前記第１の閾値よりも多く、前記文字情報エラーの数が前記第２の閾値より少ない場合は、前記文字情報エラー検出手段によってエラー訂正された文字情報を前記映像データに重畳する制御を実行する制御手段と、を有することを特徴とする放送受信装置が提供される。
【手続補正７】
【補正対象書類名】明細書
【補正対象項目名】０００７
【補正方法】変更
【補正の内容】
【０００７】
また、請求項３記載の発明によれば、デジタル放送波を受信し、当該デジタル放送波に含まれる映像データ及び音声データ並びに文字情報を取得して、映像表示及び音声出力を行う放送受信装置の制御方法であって、受信したデジタル放送波から映像データ及び音声データ並びに文字情報を取得する取得工程と、前記取得工程で取得した映像データに生じているエラーを訂正するとともに、訂正できなかった映像エラーの数を所定の周期で集計する映像エラー検出工程と、前記取得工程で取得した音声データに生じているエラーを訂正するとともに、訂正出来なかった音声エラーの数を所定の周期で集計する音声エラー検出工程と、前記取得工程で取得した文字情報に生じているエラーを訂正するとともに、訂正できなかった文字情報エラーの数を所定の周期で集計する文字情報エラー検出工程と、前記音声エラー検出工程で集計された音声エラーの数を第１の閾値と比較するとともに、前記文字情報エラー検出工程で集計された文字情報エラーの数を第２の閾値と比較し、前記音声エラーの数が前記第１の閾値よりも多く、前記文字情報エラーの数が前記第２の閾値より少ない場合は、前記文字情報エラー検出工程によってエラー訂正された文字情報を前記映像データに重畳する制御を実行する制御工程と、を有することを特徴とする放送受信装置の制御方法が提供される。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
本発明によれば、映像エラー、音声エラー及び文字情報エラーの数を検出し、検出されたエラー数に基づいて、文字情報エラー検出手段によってエラー訂正された文字情報を映像データに重畳する。
【手続補正１０】
【補正対象書類名】明細書
【補正対象項目名】００３０
【補正方法】変更
【補正の内容】
【００３０】
ステップＳ５４では、音声データにエラーが多く、かつ文字情報にエラーが少ないので、文字情報を表示すべく、エラー情報処理部１０は文字情報処理部９に対して、文字情報エラー訂正検出部５からエラー訂正して送られた、コード化されている文字情報を送り、文字情報処理部９は、表示部１１で表示できる形態の映像信号に変換する。